Podtech/llm-jp-corpus-v4-ja_patent huggingface dataset:
(57)【要約】【課題】本考案は、小型軽量の傘立て金具を木工釣台にネジで固定して傘を立てられるようにするものである。【解決手段】本考案は、傘心棒１０を支える本体１に支え半円溝３と蝶ネジ７のネジ受け穴５を設け、押さえ金具２に押さえ半円溝４と蝶ネジを通す通し穴６を設け、当該本体と押さえ金具を蝶ネジ７でつなぎ、前の本体に固定ネジ通し穴８を設けて木工釣台９にネジで固定する小型軽量の木工釣台用の傘立て金具である。【選択図】図１
0003128536.tif 000002
【実用新案登録請求の範囲】
【請求項１】
傘心棒を支える本体に支え半円溝とネジ受け穴を設け、押さえ金具に押さえ半円溝と通し穴を設け、当該本体と押さえ金具を蝶ネジでつなぎ、前の本体に固定ネジ通し穴を設けてなる木工釣台用の傘立て金具。
【考案の詳細な説明】
【技術分野】
【０００１】  本考案は、木工釣台にネジで固定して傘を立てる木工釣台用の傘立て金具に関するものである。
【背景技術】
【０００２】  へら鮒釣り等で釣台に傘を立てるには、傘立て万力を釣台に取り付け固定し、そこに傘を立てる。
【考案の開示】
【考案が解決しようとする課題】
【０００３】  しかし、木工釣台の木のふちに、従来の傘立て万力を取り付け固定することは木に圧力傷がつく。また、風にあおられ、木をくわえたままの万力が外れた場合、大きな破損の原因となる。よって前述の欠点を解決するものである。
【課題を解決するための手段】
【０００４】  本考案は、傘心棒を支える本体に支え半円溝と蝶ネジのネジ受け穴を設け、押さえ金具に押さえ半円溝と蝶ネジを通す通し穴を設け、当該本体と押さえ金具を蝶ネジでつなぎ、前の本体に固定ネジ通し穴を設けて木工釣台にネジで固定することにより、問題点を解決している。
【考案の効果】
【０００５】  上述の様に本考案は構成されているので、傘を立てる金具として小型軽量に仕上がり、木工釣台にネジで固定するが、固定した状態のままの持ち運びもさほど苦にするものではない。製作も安値であがる。また、釣台の高さの中で傘の高さ調整ができるのである。
【考案を実施するための最良の形態】
【０００６】  傘心棒を支える本体の支え半円溝と押さえ金具の押さえ半円溝とは、一つの円の直径を二分したものをそれぞれの半円溝にする。切り離された本体と押さえ金具を蝶ネジでつなぎ、傘心棒を挟み、蝶ネジの締め付けで押さえるようにする。本体は、木工釣台にサラ頭ネジで固定するものである。
【実施例】
【０００７】  以下、添付図面に従って一実施例を説明する。１は傘心棒１０を支えるアルミ材の本体１に支え半円溝３と蝶ネジ７のネジ受け穴５を設ける。２はアルミ材の押さえ金具２に押さえ半円溝４と蝶ネジを通す通し穴６を設ける。３は本体と押さえ金具を蝶ネジ７でつなぐ。４は本体に固定ネジ通し穴８を設けて木工釣台９にサラ頭ネジで固定する。【０００８】  本考案の一実施例は上述の如く構成されているから、木工釣台にネジで固定した状態て傘を立てる簡単な小型軽量の木工釣台用の傘立て金具である。
【図面の簡単な説明】
【０００９】
【図１】本考案の木工釣台に固定した傘立て金具の実施形態を示す斜視図である。
【図２】本木工釣台用の傘立て金具の斜視図である。
【符号の説明】
【００１０】  １  本体
２  押さえ金具
３  支え半円溝
４  押さえ半円溝
５  ネジ受け穴
６  通し穴
７  蝶ネジ
８  固定ネジ通し穴
９  木工釣台
１０  傘心棒
【図１】
0003128536.tif 000003
【図２】
0003128536.tif 000004
(57)【要約】【課題】  除雪面にこぶのある場合に押し込みながらこぶをかわして除雪できる除雪具を提供すること。【解決手段】  除雪具のバケット１の前端縁を、偏平状の底板２に連接されて凸状の円弧端縁６を有する円弧部３に形成することにより、前記課題を解決しようとする。【選択図】  図１
0003128565.tif 000002
【実用新案登録請求の範囲】
【請求項１】
除雪具のバケットの前端縁が、バケットの底板に連接されて凸状の円弧端縁を有する円弧部に形成されて成る除雪具。
【請求項２】
前記円弧部がバケットに接合されて成る請求項１記載の除雪具。
【考案の詳細な説明】
【技術分野】
【０００１】  本考案は手押しによる運搬除雪具に関する。
【背景技術】
【０００２】  従来から、手押しによる運搬除雪具として通称スノーダンプ（登録商標）と呼ばれるものが使用されている。このスノーダンプ（登録商標）の接地面の先端部を凹状として軽量化と耐久性向上と除雪作業の効率化を図る先行技術が実用新案登録第３０７５７２４号（特許文献１）に提案され、また、スノーダンプ（登録商標）の除雪量を増やす目的で、雪へのかみ込み方向と直交する方向での断面（横断面）形状を半円状に、かつ、その状態で先端部を尖鋭状に形成したスノーダンプ（登録商標）が実開昭６３−１２６４２２号（特許文献２）に提案されている。特許文献１に開示された技術は、除雪面に雪のかたまり、すなわち、こぶのある場合は該こぶを取り込む状態となって除雪作業が難儀する。特許文献２に開示された技術は、雪にかみ込んで除雪する際に除雪面との接地面が狭くて面圧が大となって抵抗が増える上、運搬時の左右方向が不安定となって運搬が難儀となる。【特許文献１】実用新案登録第３０７５７２４号
【特許文献２】実開昭６３−１２６４２２号
【考案の開示】
【考案が解決しようとする課題】
【０００３】  本考案は上記に鑑みて、除雪面にこぶのある場合に押し込みながらこぶをかわして除雪できる除雪具の提供をその目的とする。
【課題を解決するための手段】
【０００４】  本考案の請求項１に記載した除雪具は、除雪具のバケットの前端縁が底板に連接されて凸状の円弧端縁を有する円弧部に形成されて成る。  請求項２に記載した除雪具は請求項１に記載した除雪具において、前記円弧部がバケットに接合されて成る。
【考案の効果】
【０００５】  本考案の除雪具によれば、除雪面に雪塊などのこぶがある場合に、バケットの底板の前端が突出した円弧端縁を形成しているから、除雪の押し込みの際に前記前端がこぶをかわすように左右いずれかに振られ、こぶを強引に切除することなく楽に除雪できる上、締まり状の雪を除雪する際には円弧端縁が徐々にくい込むこととなって同様に除雪労力が軽減される効果がある。
【考案を実施するための最良の形態】
【０００６】  バケットの底板の前端に円弧部が配設されるとは、当初から底板に円弧部を形成するものから、前端が直線状に形成された底板の前端に円弧端縁を形成した当て板を接合するものも含んでいる。後者の場合にバケットの材質が合成樹脂であると強力な接着剤やビスによる接合などで既製の除雪具に省力的に対応できる。金属であればビス接合や熔接などで既製品の改造に対応できる。
【実施例】
【０００７】  本考案の除雪具を実施例により説明すると、図１に示すように、除雪具であるスノーダンプ（登録商標）Ａではバケット１の前端縁に、偏平状の底板２に連ねて凸状の円弧端縁６を有する円弧部３を一体に配設して成っている。この円弧部３は一体成形のものから、ビス接合による着脱自在なものや接着剤や熔接などによる接合などで配設される。【０００８】  このようにして成るスノーダンプ（登録商標）Ａは、図３の実線で示すように、実線矢印方向への除雪時に除雪面のこぶ４にバケット１の円弧部３の円弧端縁６が当接し、取手５からの感覚でそのこぶ４がバケット１のセンターより左側で円弧部３に干渉しているとすれば、取手５を右側に振れば実線表示のこぶ４に対する円弧部３の円弧端縁６の曲率より仮想線で示す円弧部３のこぶ４に対する円弧端縁６の曲率が小さくなるため、仮想線矢印方向（実線矢印と同方向）にバケット１を押し込めば、この円弧端縁６はこぶ４に案内されてこぶ４を強引に削ることなく、バケット１は右側へ寄せられて楽に除雪できる。【０００９】  次に、図２に示すラッセル式の除雪具である雪ベラＢについて説明すると、このものもバケット１の前端縁に偏平状の底板２に連ねて凸状の円弧端縁６を有する円弧部３を配設して成る。この円弧部３も前記スノーダンプ（登録商標）Ａにおけると同様に配設される。  この雪ベラＢで除雪する場合も除雪面のこぶ４に干渉したときは、前記と同様に取手５の操作でこぶ４をかわして楽に除雪できる。
【産業上の利用可能性】
【００１０】  本考案は除雪具のバケット１の前端部の形状を要部とするから、新製品はもとより既製の除雪具においても簡単に改造され得るから、除雪具の分野で大いにその利用が期待される。
【図面の簡単な説明】
【００１１】
【図１】本考案に係わるスノーダンプ（登録商標）Ａの斜視図。
【図２】本考案に係わる雪ベラＢの斜視図。
【図３】スノーダンプ（登録商標）Ａによる除雪時のこぶ４に対応する説明図。
【符号の説明】
【００１２】  １：バケット  ２：底板  ３：円弧部  ４：こぶ  ５：取手  ６：円弧端縁  Ａ：スノーダンプ（登録商標）  Ｂ：雪ベラ
【図１】
0003128565.tif 000003
【図２】
0003128565.tif 000004
【図３】
0003128565.tif 000005
(57)【要約】【課題】  歯磨き粉や洗顔料などの縦型チューブ容器がはっきり識別できることを課題とする縦型チューブ容器用カバーの提供。【解決手段】  縦型チューブ容器２の外形に合致する内形状を有する容器状をなすことを特徴とする縦型チューブ容器用カバー１の開口部１ａを歯磨き粉などの縦型チューブ容器２に差し込むことにより縦型チューブ容器２を覆う。【選択図】図２
0003128530.tif 000002
【実用新案登録請求の範囲】
【請求項１】
縦型チューブ容器の外形に合致する内形状を有する容器状をなすことを特徴とする縦型チューブ容器用カバー。
【考案の詳細な説明】
【技術分野】
【０００１】  本考案は、歯磨き粉などの縦型チューブ容器を識別しやすくするための縦型チューブ容器用カバーに関するものである。
【背景技術】
【０００２】  従来から、歯磨き粉や洗顔料の多くに縦型チューブ容器が使用されている。
【考案の開示】
【考案が解決しようとする課題】
【０００３】  しかし、外見上、似たようなものが多く、間違えて洗顔料を口に含んでしまうことがある。本考案は、縦型チューブ容器がはっきり識別できることを課題とする。
【課題を解決するための手段】
【０００４】  この課題を解決するための本考案は、縦型チューブ容器の外形に合致する内形状を有する容器状をなすことを特徴とする縦型チューブ容器用カバーである。縦型チューブ容器用カバー１の開口部１ａを歯磨き粉などの縦型チューブ容器２に差し込むことにより、縦型チューブ容器２を覆う。
【考案の効果】
【０００５】  縦型チューブ容器用カバー１のデザインや名札３などから他のチューブとの区別が明確となり、目の不自由な人にも識別しやすい。また、「わたし専用」の目印としても使用できる。
【考案を実施するための最良の形態】
【０００６】  縦型チューブ容器用カバー１は、上端を閉塞し、下端を開口部１ａとした容器状をなす。市販の縦型チューブ容器２に合致するものであれば材質や外形状を問わず、例えば図３に示すように動物などを模した外形状でもよい。また、より識別しやすくするために前面に名札３をつけてもよい。
【図面の簡単な説明】
【０００７】
【図１】      本考案に係わる縦型チューブ容器用カバーの斜視図
【図２】      本考案に係わる縦型チューブ容器用カバーの使用説明図
【図３】      本考案に係わる縦型チューブ容器用カバーの実施例
【符号の説明】
【０００８】  １    縦型チューブ容器用カバー
１ａ  開口部
２    縦型チューブ容器
３    名札
【図１】
0003128530.tif 000003
【図２】
0003128530.tif 000004
【図３】
0003128530.tif 000005
(57)【要約】【課題】本考案は卓球の返球自習時に他の選手や送球機械等に頼らず自習者の手で多種多様な異球質のボールを発生させ、一人で返球の自習と空振り防止の素振り練習が効率的に実施できる卓球の自習機である。【解決手段】本考案は基本台座１に設けた屈曲自在な２本のボール付支柱２を高低に立てて空振り防止に効果ある素振り自習が出き、基本台座１上の低ネット付傾斜板に自習者がボールを落下させると多種多様な異球質のボールが下方向に落下飛来するので、前方卓球台又は入球標的幕等に一人で夫々の異球質に即應した打法で返球入球の自習がいつでも、どこでも効率的に出きる。相手や、機械や、電動力も不要な省エネ型の卓球の返球自習機。【選択図】図１
0003128503.tif 000002
【実用新案登録請求の範囲】
【請求項１】
基本台座１の上に一定の角度を有する低ネット付傾斜板３を設置することを特徴とした卓球の返球自習機
【請求項２】
基本台座１の左右に２本の屈曲自在なボール付支柱２を設置することを特徴とした請求項１に記載の卓球の返球自習機
【考案の詳細な説明】
【技術分野】
【０００１】  本考案は、卓球の打球返球の技術の向上と正しいフォームの習得と返球ボールを自習者の手で発生させて返球練習をするため、基本台座１に低ネット付傾斜板３と屈曲自在なボール付支柱２を設置した、新規な卓球の省エネ型の返球自習機である。
【背景技術】
【０００２】  従来の練習は、卓球台上にボールを落下させて返球打球するか卓球台後方より練習相手からボールを送球して貰うか、ボールを見ないで素振りをするか、前方の機械からの送球ボールを打球返球することが多く、広いスペースが必要で、機械は構造が複雑で操作設置が難しく故障も多く修理の間は使用できず、高額で一般的で無く、電気動力等が無いと作動せず、相手、もしくは送球機械が無いと打球返球の練習が出来なかった。
【考案の開示】
【考案が解決しようとする課題】
【０００３】  前述のように卓球台に落下させたボールは垂直に上昇するだけで回転やスピード変化の無いボールなので実践向きの打球返球の効果が無い。【０００４】  又、素振りの練習はボールを見ないので実践時に空ふりの恐れがある。【０００５】  打球返球は前方から送球してくれる相手が居なければ返球が出来ない。【０００６】  機械からの送球には広いスペースが必要で、操作も難しく、高額で一般的でなく、電気動力が無いと作動せず、一種のボールしか送球出来ず構造も複雑で重いので移動に手がかかる。
【問題を解決するための手段】
【０００７】  本考案は、基本台座の左右に屈曲自在なボール付支柱を設け素振り自習時に使用し、実打球返球時は基本台座上の低ネット付傾斜版に自習者自身の手でボールを落下させることで問題を解決した。
【考案の手段】
【０００８】  上述のように、本考案はボール付支柱を立ててボールを正確に見てボール寸前で正確な角度でラケットを停止することで空振り防止に効果があげられ、低ネット付傾斜版にボールを落下させるとボールは多種多様な回転、スピードで傾斜版下方向へ落下移動飛来するので自習者は夫々の異球質のボールに即應した打法で返球の自習が出来、下記の項目の特徴効果がある。
▲１▼小型軽量なので持ち運び移動が自由に出来、電気動力を必要とせず省エネ型で操作設置が簡単で高額でなく個人一般向きである。
▲２▼自習者が返球するボールを出してくれる人や、送球機械などが無くても一人で打球返球実打の自習が出きる。
▲３▼卓球台無しで自宅や狭いスペースでも入球標的幕等使って素振りと返球実打自習が出きる。
▲４▼機械等の送球は一種類のボールだけだが二種類のボール使用が出きる。
【考案を実施するための最良の形態】
【０００９】  返球自習時、ボール付支柱は基本台座に平行に寝かせて自習者の手で低ネット付傾斜版の上方部にボールを落下させると、ボールは落下の法則により傾斜板上の高位置にバウンドし、ゆるい回転とスピードで下方向へ移動落下し、傾斜板下方部に落下させるとボールは低くバウンドし回転もスピードも上方部に落下させたボールより強力な回転とスピードで傾斜板下方向へ移動落下飛来するので自習者は夫々の異球質のボールに即應した打法で返球入球の自習が出来、練習相手や送球機械等が無くても一人で素振りと返球の自習が効率的に出きる。
【実施例】
【００１０】  以下添付図面に従って一実施例を説明する。１は本考案の基本台座であり、２は素振り自習する時に基本台座に立てて使う屈曲自在なボール付支柱であり、３は基本台座１の上に設置される低ネット付傾斜板であり、自習者が返球するボールを自分の手で低ネット付傾斜板に落下させて多種多様な異球質のボールを傾斜板下方に飛来させ傾斜板上端部の低ネットを入球返球の目安として返球の自習を一人で効果的に出来るもので、傾斜板の厚さは公認卓球台の板の厚さと同等以上の単板か硬質の合板であることを条件とし、反発力が大である程、多球質の強力な回転とスピードのボールが発生飛来する。
【図面の簡単な説明】
【００１１】
【図１】飛来球を発生させる低ネット付傾斜板の全体図
【図２】２本のボール付支柱の立脚時の全体図
【符号の説明】
【００１２】  １、  基本台座
２、  屈曲自在のボール付支柱
３、  低ネット付傾斜板
【図１】
0003128503.tif 000003
【図２】
0003128503.tif 000004
(57)【要約】      （修正有）【課題】炎天下、露天駐車の車内温度が少しでも低くなることがもとめられていた。【解決手段】表面が波形をした四角形の平らな紙の上下を平らな紙で蔽い夫々の側面は又平らな紙で蔽い、これを数個重ねて各層ごとにアルミ箔を挿入した構造になったカーパラソル。【選択図】図１
0003128504.tif 000002
【実用新案登録請求の範囲】
【請求項１】
表面が波形をした四角形の平らな紙の上下を平らな紙で蔽い、又それぞれの側面も平らな紙で蔽い、これを数個重ねた後、各層と層との間にアルミ箔を挿入した構造になったカーパラソル。
【考案の詳細な説明】
【考案の利用分野】
【０００１】      環境、衛生に関するものである。
【背景技術】
【０００２】      自動車の発展はすばらしいものがあり、又自動車と人間との関係は密接なものがある。車を走らせて駐車をする場合、車庫や露天にとめるのであるが車庫の場合は長時間たっても室内の温度はあまりかわらないが、露天に止めた場合は外の温度によって色々影響をうけやすい。殊に夏の露天での駐車の後の車内は相当の高温度になり、冷房をつけてもその効果が出るまではかなりの時間を要するのである。
【本案が解決しようとする課題】
【０００３】      夏の暑い日、露天駐車を長時間した後の車内の温度はかなりのものであるがその温度が少しでも低く保たれれば、快適で費用も少なくてすむことになる。
【課題を解決しようとする手段】
【０００４】      暑い日に人は日傘をさし、木陰を好み家ではすだれをもちいる。
【０００５】      そこで車が日陰になるように車庫をもちいたり、または木陰に置いたりするが、その代わりに本考案のすだれ、即ちカーパラソルをもちいるのである。
【０００６】      即ち小さな細長い空気袋が横並びになり、ふとんのように広がった紙製のものを数個重ねて用いるのである。熱伝導については、気体がもっとも伝道しにくいので、熱は何層にも重なった空気袋を通るうちに熱伝導は悪く熱はしだいに薄れていき、又紙袋とアルミ箔とを通る毎に熱の電磁波は反射と屈折と吸収を繰り返し熱は減衰していくのである。
【０００７】      露天と木陰の温度を比較してみると、数秒間では摂氏１度くらいの差であるが、露天と木陰においた洗面器の中の水の温度の差は日中の露天の場合は数時間で、摂氏８度から摂氏９度違ってくる。同様に本考案のカーパラソルの下においた洗面器の水の温度は露天下においた水の温度に比べて数時間後に８度から９度の差が出てきているのである。
【実施例】
【０００８】      先ず紙は波形に作り、その形を保持して崩れないようあらかじめ処理しておく。幅３ｍ、長さ４ｍの波形をした紙の上下を平らな紙で蔽い、さらにそれぞれの側面の横の部分を又平らな紙で蔽って布団状になったものを５枚重ねるのである。そうして各層と隣の層との間にアルミ箔を挿入するのである。そうして出来上がった布団状のものを車の上におくのである。かさは大きくとも軽いので、簡単に車の上に置くことができるのである。
そうすると車は木陰にいるように涼しくかんずるのである。クーラーほど効果はないが、日中は日傘をさして歩く程度の効果はあり、はなはだ好ましい効果がみられる。
【考案の効果】
【０００９】      本考案のカーパラソルをもちいると、露天駐車の車内の温度がかなり低くなり日中日傘をさして歩くときのように少しはしのぎやすくなるのである。
【図面の簡単な説明】
【００１０】
【図１】      斜位図
【図２】      正面図
【図３】      側面図
【図４】      水平面図
【符号の説明】
Ａ    波状の紙
Ｂ    アルミ箔
Ｃ    外側の布袋
【図１】
0003128504.tif 000003
【図２】
0003128504.tif 000004
【図３】
0003128504.tif 000005
【図４】
0003128504.tif 000006
(57)【要約】【課題】  コンパクトで持ち運びが容易なので任意所望の場所で、足元に置き足の裏を暖めたり、腰掛の上に乗せて腰掛けたりするだけで発汗作用がおき、温熱治療効果、癒し効果、美容効果、痩身効果等が得られる小型岩盤浴器を低価格で提供する。【解決手段】  木材などの材料を使用した外枠に、家庭用電源で使用できる面状ヒーターを張り、その上に岩盤を乗せ暖めることにより岩盤から発生されるマイナスイオン、遠赤外線等の効果を活かす事を特徴とし、コンパクトで持ち運びや場所を選ばないために、高齢者にも喜ばれランニングコストも低いため、営業上のメリットも大である。【選択図】図２
0003128505.tif 000002
【実用新案登録請求の範囲】
【請求項１】
持ち運び可能な小型の岩盤を、枠付きの板に、面状ヒーターを全面に設置し、家庭用電源で使用できる事を特徴とする小型岩盤浴器。
【請求項２】
足元に置いて足の裏から岩盤浴をしたり、腰掛けに乗せ、座って腰から暖めたりする事を特徴とする請求項１の小型岩盤浴器。
【考案の詳細な説明】
【技術分野】
【０００１】    本考案は、従来、寝て使用する岩盤浴を小型化し、腰掛けて使用したり、足元に置いて、足の裏から岩盤浴をする、コンパクトで、持ち運びも簡単にできることを特徴とする小型岩盤浴器に関するものである。
【背景技術】
【０００２】    従来、足裏を暖めるのに、電気カーペットや電気あんか等利用していたが岩盤を使用するものは見当たらなかった、又岩盤浴は岩盤を敷き詰め全身を横たえて寝ながら暖めるが、足の裏は直接温められない。
【考案の開示】
【考案が解決しようとする課題】
【０００３】    そのため次のような問題点があつた。
（イ）岩盤浴は温泉場や岩盤浴場へ行かなければ使用出来なかった。
（ロ）家庭用の足温器は多数あるがお湯を使うものが多く準備や、かたづけ手間がかかる。
（ハ）使用する時、靴下やパンティーストッキング等を、履いる場合着脱が不便である。
本考案は以上の問題点を解決する為になされたものである。
【課題を解決するための手段】
【０００４】    わずかな電気消費量で使用出来、足元に置いて足を乗せて使用したり、腰掛けの上に乗せて座って使用したりすることを特徴とし、市販のタイマーや、白熱電球の調光器を併用することで、温度コントールも可能にしたことを特徴とする小型岩盤浴器である。
【考案の効果】
【０００５】    コンパクトで持ち運びも楽になり、わずかなスペースで使用でき、岩盤を暖めると、マイナスイオン・遠赤外線・石の種類によっては放射線によるホルミシス効果により発汗作用がおき、温熱治療効果、癒し効果、美容効果、痩身効果等が得られ、犬や猫などのペット用岩盤浴としても使用できる。
【考案を実施するための最良の形態】
【０００６】    以下、本考案の実施の形態を説明する。
（イ）木材などの外枠（１）の枠内に、断熱材（２）をひき詰め、その上に、面状ヒーター（３）を張り、家庭用電源コード（４）につなぎ、ヒーターの上に岩盤（５）を乗せ暖めて使用する。
本案は以上のような構造で、これを使用するときは、足元に置いて足の裏から暖めるようにしたり、腰掛けの上に乗せてそれに座り暖めたりする。【０００７】    本案は、以上のような構造で、わずかな電気消費量で使用出来るので経済的であり、又、市販のタイマーや白熱電球の調光器を併用する事で温度コントロールも可能にした。
【図面の簡単な説明】
【０００８】
【図１】    表面図
【図２】    断面図
【符号の説明】
１    外枠
２    断熱材
３    面状ヒーター
４    電源コード
５    岩盤
【図１】
0003128505.tif 000003
【図２】
0003128505.tif 000004
(57)【要約】【課題】水質汚染（クリプトスポリジユーム）など土壌湧水の飲料の危険性が雨水を利用することで回避できる、又、次亜塩素の環境汚染削減、又常時、災害時、を問わず、用水確保、又、雨水貯留での飲用水造水は省エネルギーの面からも必要になる。災害時などは給水ラインの破断、停電、など飲料水及び雑用水が供給できなくなるので、本考案による雨水貯留による、飲料水及び雑用水の自己保有が求められる。加えて放置山林が増え、又土木的排水工事のため、山中保水力が低下して災害が多発している、その整備のため作業用の、水の確保、山林他の自然保護のため山中保水も必要である【解決手段】マンションなど各建物に又水道施設、電気のない場所での水を保有確保するのに樋など又澤などの場所から縦長の細長いタンクを設置し、いわゆる水頭圧を保持し動力なしで浄水、及び散水可能とし、飲料水の確保又自動的逆洗装置もこの出頭圧を利用し行なう。【選択図】    図１
0003128513.tif 000002
【実用新案登録請求の範囲】
【請求項１】
タンクを縦長にすることと流入流出オーバーフロー及びドレン位置の関係で油、水分離浮遊物の排出、沈降物の排出が出来る、動力なしで貯留、ろ過、散水が出来る非常用省エネタンク
【請求項２】
タンクを縦長にすることでその水頭圧により中空糸膜に加圧し飲料水を造水し併せ持って貯留できる、動力なしで貯留、ろ過、散水が出来る非常用省エネタンク
【請求項３】
エアー抜き弁と縦長の飲料水タンクと縦長の一般水タンクの組み合わせにより水の使用にあわせ水圧脈動により中空糸膜の逆洗浄ができる、動力なしで貯留、ろ過、散水が出来る非常用省エネタンク
【請求項４】
樋に切り込むだけで造水できる、動力なしで貯留、ろ過、散水が出来る非常用省エネタンク
【考案の詳細な説明】
【技術分野】
【０００１】
本考案は特に給水装置のないマンションベランダ又水源の無い場所で雨水を活用することにより、飲料水、雑用水を確保し、自然逆洗浄、が出来、動力なしで貯留、ろ過、散水が出来る非常用省エネタンク
【背景技術】
【０００２】
マンションベランダに水道が無くともこの装置を設置すると雨水を利用することでガーデニングが出来、災害時給水、電気が途絶えても雨水で飲料水、雑用水が出来る。給水が途絶えても雨は数日に必ず降るので本来の上水道よりの給水は不要になる。
給水装置はポンプなど加圧装置が必要であったが本考案は動力なしで水頭圧で飲料水を造水し、一般水タンクはその水頭圧を保ち放水できる構造とした
【考案の開示】
【考案が解決しようとする課題】
【０００３】
省スペースで、動力なしで飲料水を造水し又タンクの高さを高くすることによる水頭圧を利用することにより水頭圧を保ち、中空糸膜の逆洗浄が水を使用するたび水頭圧が脈動することにより出来る構造とし、特に災害時の飲料水、雑用水の確保に有効である。
【課題を解決するための手段】
【０００４】
タンクを縦長に細長くすることによる水頭圧を稼ぎ、中空糸膜濾過装置との組み合わせで、一般水と、飲料水の貯水が出来、動力不要、自然水圧で供給する、
【考案の効果】
【０００５】
給水の無いマンションのベランダ、公園または山中など設置場所を選ばず、雨水で飲用水、洗浄水の両方が動力なし又省スペースで出来る。
【考案を実施するための最良の形態】
【０００６】
マンションで試作し、雑用水、飲料水の管径を求め、地域降雨量年間偏差のグラフに照らせ合わせ、貯水管径を決定する。
【実施例】
【０００７】
図1はマンションでの取り付け例を示す。
【図面の簡単な説明】
【０００８】
【図１】本考案の立面図
【符号の説明】
【０００９】
１中空糸膜ろ過装置
２飲用蛇口
３一般用蛇口
４飲用清水タンク
５一般用水タンク
６エアー抜き弁
７オーバーフロー管
８ゴミ掃除用キャップ
９既設樋
１０ドレン弁
【図１】
0003128513.tif 000003
【手続補正書】
【提出日】平成18年11月8日(2006.11.8)
【手続補正１】
【補正対象書類名】実用新案登録請求の範囲
【補正対象項目名】全文
【補正方法】変更
【補正の内容】
【実用新案登録請求の範囲】
【請求項１】
雨水受け入れ装置と、該受け入れ雨水を貯留するタンク本体と、該タンク本体に貯留された雨水をろ過する雨水ろ過装置と、該ろ過水を貯留する飲用清水タンクとからなる、雨水利用造水貯留装置において、該雨水貯留タンク本体が縦長形状であることを特徴とする雨水利用造水貯留装置。
【請求項２】
該雨水利用造水貯留装置の雨水ろ過装置が中空糸膜構造であり、該飲用清水タンクが縦長形状であることを特徴とする請求項１記載の雨水利用造水貯留装置。
【請求項３】
該ろ過水を貯留する飲用清水タンクが飲用と一般用両方の蛇口構造を有することを特徴とする請求項１及び請求項２記載の雨水利用造水貯留装置。
(57)【要約】【課題】                従来の多くの収納ソファーベッドは並列に座るベンチ式の使い方しかできない構造であるので、ベンチソファー、及び、対面ソファーとして使える構造の収納ソファーベッドを提供することを課題とする。【解決手段】            本考案では、収納機能をもつ箱の上にリクライニング機能を備えたマットレスを取り付けたユニット２個により構成されるソファーベッドを提供することによりベンチ式、対面式の使用が可能となり、課題を解決するものである。【選択図】              図３
0003128516.tif 000002
【実用新案登録請求の範囲】
【請求項１】
収納機能をもつ箱の上にラチェット、油圧、電動、等によりサイドフレーム側２がリクライニングするマットレスを取り付けたユニット２個により構成されるソファーベット。
【請求項２】
収納機能をもつ箱の上にラチェット、油圧、電動、等によりヘッド側６、及び、フット側７がリクライニングするマットレスを取り付けたユニット２個により構成される請求項１記載のソファーベット。
【考案の詳細な説明】
【技術分野】
【０００１】
本考案は２個のユニットにより構成される収納ソファーベットに関するものである。
【背景技術】
【０００２】
従来の多くの収納ソファーベットは１個のユニットにより構成されているためソファー機能としては並列に座るベンチ式の使い方しかできないのが一般的である。
【考案の開示】
【考案が解決しようとする課題】
【０００３】
従来の多くの収納ソファーベットは並列に座るベンチ式の使い方しか出来ない構造であるがベンチ式と対面ソファー式の使い方が出来る構造のソファーベットを提供することにより解決しようとするものである。
【課題を解決するための手段】
【０００４】
収納機能をもつ箱の上にリクライニングするマットレスを取り付けたユニット２個により構成されたソファーベットを提供することにより課題を解決しようとするものである。
【考案の効果】
【０００５】
上述のように収納機能をもつ箱の上にリクライニングするマットレスを取り付けた２個のユニットを並列、或いは、対面に配置することにより並列に座るベンチ式、或いは、対面に座る対面ソファーの使い方ができる。
【考案を実施するための最良の形態】
【０００６】
以下図１〜図７を参照して本考案を実施するための最良の形態を説明する。
【実施例】
【０００７】
以下、添付図面に従って実施例を説明する。図１は請求項１に該当する、収納機能をもつ箱１、或いは４の上にサイドフレーム側２がリクライニングするマットレス３を取り付けたユニット２個を並べ、ベッドとした形態を説明する斜視図である。
【０００８】
図２は上記ソファーベットのマットレス３をリクライニングさせベンチシートとした形態を説明する斜視図である。収納箱１はマットレスをリクライニングさせた状態で上から収納する方式８であり、箱４は引出しにより収納する形態を説明するものである。箱１及び箱４の組合せは限定するものではない。安易に移動させるためキャスター５が付属する場合もある。
【０００９】
図３はユニットのサイドフレーム側２のマットレス３をリクライニングさせ対面ソファーとして使用できる状態に移動させた斜視図である。
【００１０】
図４は請求項２に該当する、収納機能をもつ箱１、或いは、４の上にヘッド側６、及び、フット側７がリクライニングするマットレスを取り付けたユニット２個を並べ、ベッドとした形態を説明する斜視図である。箱１及び箱４の組合せは限定するものではない。
【００１１】
図５はベッドとして使用時、ヘッド側６がリクライニングすることにより背もたれとして使用でき、フット側７がリクライニングすることによりフットレストの役目も果たせる状態を説明する斜視図である。
【００１２】
図６はユニットのヘッド側６、及び、フット側７のマットレスをリクライニングさせ対面ソファーとして使用する状態に移動した斜視図である。安易に移動させるためキャスター５が付属する場合もある。
【００１３】
図７はユニットのヘッド側６、及び、フット側７のマットレスをリクライニングさせベンチソファーとして並列に組み合わせた形態を説明する斜視図である。
【図面の簡単な説明】
【００１４】
【図１】請求項１のベッドとして使用する形態の斜視図
【図２】ベンチシートとして使用する形態の斜視図
【図３】対面ソファーとして使用する形態の斜視図
【図４】請求項２のベッドとして使用する形態の斜視図
【図５】背もたれ、フットレストとして使用する形態の斜視図
【図６】対面ソファーとして使用する形態の斜視図
【図７】ベンチシートとして使用する形態の斜視図
【符号の説明】
【００１５】
１  収納箱
２  サイドフレーム
３  リクライニングマットレス
４  収納箱引出しタイプ
５  キャスター
６  ヘッド側
７  フット側
８  上からの収納
【図１】
0003128516.tif 000003
【図２】
0003128516.tif 000004
【図３】
0003128516.tif 000005
【図４】
0003128516.tif 000006
【図５】
0003128516.tif 000007
【図６】
0003128516.tif 000008
【図７】
0003128516.tif 000009
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
蝶板或いはヒンジにより中折り可能なマットレスに一般的に使用されている（１）ギアーと爪により停止位置保持機能をするラチェット、（２）上下動する油圧シリンダー、或いは（３）電動でワイヤー巻上げ、或いはベベルギアにより上下動可能な構造によりサイドフレーム側２がリクライニングする機能を備えたものを、収納機能をもつ箱の上に取り付けたユニット２個を組み合わせることにより、ベッド、或いは並列、対面ソファーとして使用できるソファーベット。
(57)【要約】【課題】プラスチックボトルキャップを捻れない握力のない人のためストローを使用プラスチックボトルを傾けてもストロー孔から漏れず  運搬時も内溶液が漏れない安全なプラスチックキャップ。【解決手段】従来のプラスチックボトルキャップにストロー差し込み孔と空気取入孔をあけストローを斜めに固定し差し込み孔と密着させるとペットボトルが倒れても空気取入孔からもストローからも内容液は漏れない。運搬時はストロー差し込み孔と空気取入孔はヒートシールで塞ぐ。【選択図】図５
0003128511.tif 000002
【実用新案登録請求の範囲】
【請求項１】
プラスチックボトルキャップ使用時にストローを差し込む孔と空気取入孔をキャップ頂面に備え通常シール材、又は閉塞紙で上記２つの孔が閉じられているプラスチックボトルのキャップ。
【請求項２】
ストロー差し込み孔の裏面には傾斜したストロー案内筒が設けられている。
【考案の詳細な説明】
【技術分野】
【０００１】
プラスチックボトルのキャップに関する。
【背景技術】
【０００２】
プラスチックボトルキャップを突いて穴をあけストローで飲めるが横になると穴がストローに対して大きいためストローを伝って液体がもれる。また大きい穴でないと底に届かず全量飲めない。
【特許文献１】特開２０００−２４７３５３号公報
【特許文献２】登録実用新案第３０９０６７７号公報
【考案の開示】
【考案が解決しようとする課題】
【０００３】
プラスチックボトルは直接口をつけて飲むか  別の器に移し変えて飲む方法しかないが握力が弱い小児、女性、障害者はキャップが捻れない。キャップを取らずに内容液が飲め同時にプラスチックボトルを傾けてもこぼれず  運搬時も内溶液が漏れない安全なプラスチックボトルキャップ。
【課題を解決するための手段】
【０００４】
ペットボトルキャップを捻って外さずに元来付いているキャップ頂面には閉塞紙が貼られている。
【０００５】
閉塞紙を剥ぐとキャップにはストロー差し込み孔(１)と空気取入孔(２)があり(１)の裏面には傾斜したストロー案内筒（３）が設けられている。プラスチックボトルの底の中央がもりあがっていても(３)はストローに傾斜を付けボトルの底の側面にとどき最後の一滴まで飲める。
【０００６】
ストロー差し込み孔(１)は上下とも同一の太さのストローは入らない。伸縮ストローは先が細くいれやすく入りきった部分は太く柔らかく差し込み孔に密着する。差し込み孔とストローが密着するとペットボトルが倒れても空気取入孔(２)からもストローからも液体は漏れない。
【０００７】
閉塞紙を剥がさずに普通のプラスチックボトルとしても使用可能。
【考案の効果】
【０００８】
横に倒しても漏れないプラスチックボトルは  小児はこぼさず  就寝中、入院中は起き上がる必要がなく  女性は頭をそらせて飲むことなく見苦しくない。運転中もラッパのみをすることなく目線が安定するので安全。
【考案を実施するための最良の形態】
【０００９】
閉塞紙にツマミの部分をつける。閉塞紙と伸縮ストローのカラーを同一にすると挿入孔とストローの組み合わせを間違えない。伸縮ストローに差込む目安になる線を付ける。キャップ中央に挿入孔があるとヒートシールを貼るのにあたりをつけやすい。
【産業上の利用可能性】
【００１０】
プラスチックボトルに伸縮ストローを貼り付けてこのキャップを装着し自動販売機で従来品と変わらず利点の多いプラスチックボトルとして販売出来る。
【図面の簡単な説明】
【００１１】
【図１】閉塞紙で閉じられたプラスチックボトルの状態図
【図２】閉塞紙で閉じられたキャップの断面図
【図３】閉塞紙を剥したキャップの傾斜図
【図４】同キャップにストローを差し込んだ断面図
【図５】同プラスチックボトルの使用状態を示す図
【符号の説明】
【００１２】
１  ストロー差し込み孔
２  空気取入孔
３  傾斜したストロー案内筒
４  閉塞紙
【図１】
0003128511.tif 000003
【図２】
0003128511.tif 000004
【図３】
0003128511.tif 000005
【図４】
0003128511.tif 000006
【図５】
0003128511.tif 000007
【手続補正書】
【提出日】平成18年10月7日(2006.10.7)
【手続補正１】
【補正対象書類名】実用新案登録請求の範囲
【補正対象項目名】全文
【補正方法】変更
【補正の内容】
【実用新案登録請求の範囲】
【請求項１】
プラスチックボトルキャップ使用時にストロー差し込み孔と空気取入孔をキャップ頂面に備えシール材、又は閉塞紙で上記２つの孔が閉じられているプラスチックボトルのキャップ。
【請求項２】
ストロー差し込み孔の裏面には傾斜したストロー案内筒が設けられている特徴をもつ請求項１記載のプラスチックボトルのキャップ。
(57)【要約】【課題】  孫の手本体柄部の一部を湾曲又は屈折するように成形する事により、猫背になり湾曲した背中の形状に対しても、背筋を伸ばす必要無く、背中の全ての面に対して容易に掻くことができる孫の手を提供する。【解決手段】  孫の手本体柄部の一部を爪部方向に湾曲又は屈折するように成形する事を特徴とする。【選択図】図１
0003128555.tif 000002
【実用新案登録請求の範囲】
【請求項１】
本体柄部の一部を爪部方向に湾曲又は屈折するように成形加工する事を特徴とする孫の手。
【考案の詳細な説明】
【技術分野】
【０００１】  本考案は、湾曲した背中の形状に対しても容易に掻くことが出来るように柄部の一部を屈折又は湾曲させた孫の手に関する。
【背景技術】
【０００２】  従来、一般に考案されている孫の手は、本体の最先端のみを湾曲させ、手の形をした掻き手部分又は爪部を設ける事により背中の痒い部分を掻くように成形されている。しかしながら、本体最先端までは直線に成形されている為、湾曲した背中に対して十分な機能を有しなかった。【０００３】  孫の手における掻き手部分又は爪部の機能は、本体の最先端を湾曲させ、背中の痒い部分を掻きやすくする事であるが、これは背筋を伸ばし、背中の形状が直線である時にのみ有効に働く機能であり、湾曲した背中の形状に対してはその機能は十分に果すことが出来ない。特に衣服の中から掻く場合、頚椎に対して肩甲骨部が突起している為、肩甲骨部より下部を掻く事は極めて困難であった。さらに、孫の手の基本的な使用姿勢を取った時は自然と猫背になってしまう為、直線で成形された孫の手を有効に働かせる事は困難であった。又、この問題を解決する技術としては、孫の手本体柄部の一部に形状記憶機能を有する弾性部材を取りつけるという技術があるが、製造コストが高額になり、かつ弾性部材が破損した場合に肌を傷つける可能性がある為、実用性に欠けている。【０００４】  なお、本考案に関連する公知技術として次の実用新案文献を挙げる事が出来る。【０００５】
【実用新案文献１】
登録実用新案第３１１４０２２号
【考案の開示】
【考案が解決しようとする課題】
【０００６】  上記の如く、従来の考案に係わる孫の手は、本体の最先端部までを直線で成形されている為、湾曲した背中の形状に対し、全ての面を掻くことは極めて難しい。特に衣服の中から掻く場合においては、頚椎と肩甲骨部の突起個所を頂点とする２点を直線で結んだ場合、それより下部の深い個所を掻く事は困難であった。【０００７】  本考案は、このような点に鑑みて成されたものであり、その目的は、孫の手本体柄部の一部を湾曲又は屈折するように成形する事により、猫背になり湾曲した背中の形状に対しても、背筋を伸ばす必要無く、背中の全ての面に対して容易に掻くことができる孫の手を提供する事である。
【課題を解決するための手段】
【０００８】  上述の目的を達成する本考案の孫の手は、孫の手本体柄部の一部を爪部方向に湾曲又は屈折するように成形する事を特徴とする。【０００９】  一例として、前記湾曲又は屈折させる個所は、持ち手部である端部を持って衣服の襟部から入れた時、湾曲又は屈折部が肩甲骨部に来るような角度及び位置に成形加工される。好適には、前記湾曲又は屈折個所は肩甲骨部に当てた時に掻き手又は爪部が肩甲骨部より最も深い場所に届くような位置に成形加工される。
【考案の効果】
【００１０】  以上説明したように本考案によれば、孫の手柄部の任意個所を爪部方向に湾曲又は屈折させる事により、猫背になり湾曲した背中の形状に対しても、背筋を伸ばす必要無く、背中の全ての面に対して容易に掻くことができる孫の手を提供する事ができる。
【考案を実施する為の最良の形態】
【００１１】  以下、本考案の実施の形態を図面に基づき詳細に説明する。
【００１２】  図１〜図２は本考案の実施の形態に係わり、図１はその側面図、図２は従来の孫の手と本考案の孫の手の使用時の様子を説明したものである。
【００１３】  図１、図２、に示すように本考案の孫の手１は、本体柄部に爪部方向に湾曲又は屈折個所２を設けている。
【００１４】  図２が示すように湾曲又は屈折個所２は肩甲骨部４に当てた時に掻き手又は爪部３が肩甲骨部４より下部の最も深い場所５に届くような角度及び位置に成形加工される。
【００１５】  この孫の手に用いられる素材は、成形及び加工が容易でありなおかつ、柔軟性及び弾力性に優れている竹材が望ましい。
【００１６】  以上、考案の実施の形態及び実施例を説明したが、本考案の範囲はこれに限定されるものではない。例えば、湾曲又は屈折個所の角度及び位置は、持ち手端部から掻き手又は爪部までの間で、状況に応じて適時選択されるものである。
【００１７】  また、実施例では本考案に用いられる素材は竹材としているが、竹材だけに限定されるものではなく、その他、例えば木材・合成樹脂・ゴム等の材質が利用できる。又、用途も痒い場所を掻く時にのみ使用するものに限らず、日常のマッサージとして用いることが可能である。
【産業上の利用可能性】
【００１８】  本考案は一般家庭での家庭用品ならびに、介護用品として製造・販売する産業分野で利用する事ができる。
【図面の簡単な説明】
【００１９】
【図１】  本考案の実施の形態に係わる孫の手の側面図である。
【図２】  従来の孫の手と本考案の孫の手の使用時の様子を説明したものである。
【符号の説明】
【００２０】１      孫の手
２      湾曲又は屈折個所
３      掻き手又は爪部
４      肩甲骨部
５      肩甲骨部より下部の最も深い場所
６      従来の孫の手
【図１】
0003128555.tif 000003
【図２】
0003128555.tif 000004
(57)【要約】【課題】  本考案はコルセット本体に、収縮性のあるベルトを設ける事によって、簡単に確実にダイエットできる。【解決手段】本考案はコルセット本体（１）の胃部に位置する両脇にベルト通し（２）を設け、収縮性のある（３）のベルトを付けることにより、誰でも無理なく簡単にダイエットができ健康上にも役立つ。【選択図】図１
0003128551.tif 000002
【実用新案登録請求の範囲】
【請求項１】
コルセット本体（１）の胃に当たる部分の両端にベルト通し（２）を設け、ベルト通しに胃を圧迫するためのベルト（３）を通し、ベルトには伸縮するゴム（４）を設けたことを特徴とするベルト付きダイエットコルセット。
【考案の詳細な説明】
【技術分野】
【０００１】本考案は、身体をダイエットするためのベルト付きダイエットコルセットである。
【背景技術】
【０００２】身体の太り過ぎは、糖尿や心筋梗塞、高血圧等の原因にもつながり、又、美容面でも好ましくない。そのため、食事療法や美容体操の色々なダイエットが提案されている。しかしながら、食事療法による場合は、食欲大盛にもかかわらず我慢することにより食べるのを制限するものであるため、例えば目の前に好物が並べられたような場合には、我慢仕切れずに、つい食べてしまうということが良くある。又、美容体操による場合は、時間の制限によって規則的に行えなかったり、又、面倒に思うこともあり、長続きしない場合が多い。
【考案の開示】
【考案が解決しようとする課題】
【０００３】本考案は、以上の実情に鑑み提供されたもので、その目的とするところは、手軽に行え、しかも確実にダイエットできる。ベルト付きダイエットコルセットを提供することにある。
【課題を解決するための手段】
【０００４】本考案は、コルセット本体（１）の両脇にベルト通し（２）を設け、ダイエット用ベルト（３）を胃部に巻ける程度の長さを適宜位置に固定することにより、必要に応じて適宜胃を圧迫できるようになされたものである。
【考案の効果】
【０００５】本考案において、胃部に巻くベルト本体の２箇所に部材２のゴムを備えた事により、収縮性のあるベルトになり、ベルトをコルセットに通すことにより、常時あるいは必要に応じて、適宜胃を圧迫できる。これにより、例えば好物が目の前に並べられたような場合においても、このベルト付きコルセットを装置して胃を圧迫状態にしておけば、食を抑えることができ、つい食べてしまうといったことを防止できる。又、圧迫の調整が出来るため、健康を害することも無い。
【考案を実施するための最良の形態】
【０００６】ベルト本体が移動しないように、コルセット本体の両脇にベルト通しを設けることにより、適宜位置に固定する。
【実施例】
【０００７】以上、添付図面に従って一実施を説明する。
２は、コルセット本体の両脇の胃部に位置する部分に布製のベルト通しを設け、ベルト本体３は耐久性のある合成樹脂等の素材にし、適宜に応じて圧迫の調整ができるように複数の穴を設け、４は弾力性のあるゴム等の素材にて形成されたベルトとする。
【産業上の利用可能性】
【０００８】本考案の一実施例は、上述の如き構成からなるもので、コルセットにベルト本体を付けることによって、適宜胃を圧迫でき、食を抑え、又、装置に際しては、手軽に装置でき、健康を害することもなく、確実にダイエットできるベルト付きダイエットコルセットを提供したものである。
【図面の簡単な説明】
【０００９】
【図１】本考案のベルト付きダイエットコルセット
【図２】本ベルト付きダイエットコルセットのベルトの正面図である
【符号の説明】
【００１０】１  コルセット本体
２  ベルト通し
３  ベルト本体
４  ゴム
【図１】
0003128551.tif 000003
【図２】
0003128551.tif 000004
(57)【要約】【課題】財布等に納められたキャッシュカード等からのスキミングを防止でき、かつ、鏡としても使用可能なカードを提供する。【解決手段】電磁波遮断層３を備えるとともに、表面が鏡面８とされてなることを特徴とするスキミング防止カード。【選択図】図１
0003128558.tif 000002
【実用新案登録請求の範囲】
【請求項１】
電磁波遮断層を備えるとともに、表面が鏡面とされてなることを特徴とするスキミング防止カード。
【考案の詳細な説明】
【技術分野】
【０００１】  この考案はスキミング防止カードに関する。
【背景技術】
【０００２】  最近、カードのデータのスキミングによる不正使用の問題が多発している。通常カードは財布等に入れている場合が多く、例えば、混雑する電車内等において服のポケットやカバンに入れいる財布においてスキミングが行われる。
【考案の開示】
【考案が解決しようとする課題】
【０００３】  この考案では、財布等に納められたカードからのスキミングを防止できるようにすることを目的とする。さらには、鏡として兼用される実用性に優れるスキミング防止カードを提供する。
【課題を解決するための手段】
【０００４】  この考案では、電磁波遮断層を備えるとともに、表面が鏡面とされてなることを特徴とするスキミング防止カードを提供する。【０００５】  上記構成のスキミング防止カードを財布等に装着使用することで、読み取り信号がそれに設けられた電磁波遮断層で遮断されることで収納されるキャッシュカード等からのデータの不正読み取りが防止される。また、スキミング防止カードは表面が鏡面とされていることで、携帯用鏡としても使用できる。
【考案の効果】
【０００６】  この考案のスキミング防止カードを使用することで、財布等に納められた各種カードからのスキミングが、容易、かつ、確実に防止できるようになる。くわえて、スキミング防止カードは鏡に兼用できて実用性に優れ、とくに女性において便利に用いられる。
【考案を実施するための最良の形態】
【０００７】  図１はこの考案のスキミング防止カードの実施形態の切り欠き断面斜視図、図２はその使用説明図である。【０００８】  １はスキミング防止カードであり、樹脂シート２、２間に電磁波遮断層としてのアルミ箔３が接着剤で積層固定されて構成されており、アルミ箔３により一方面側から他方面側への電磁波の通過を遮断する機能を持つ。一方側の樹脂シート２の表面にはアルミ蒸着層７が付設され、その表面は鏡面加工されることで鏡面８とされている。【０００９】  上記スキミング防止カード１は、図２に示すように、財布１０のキャッシュカード１５の収納されるポケット１４と重なり状態に位置するポケット１２内に納められて用いられる。このようにスキミング防止カード１が財布１０内に装着使用されたことで、外方からの読み取り信号がスキミング防止カード１で遮断されてキャッシュカード１５からのスキミングが防止される。また、スキミング防止カード１は鏡面８を備えることで、取り出して鏡としても便利に使用できる。【００１０】  図３はこの考案のスキミング防止カードの他の実施形態の切り欠き断面図である。この実施形態のスキミング防止カード１００では、樹脂シート２０の片面にアルミ蒸着層７０を厚く形成し、その表面を境面加工して鏡面８０としている。この実施形態のものも、図２に示すように使用することで、上記実施形態のものと同様のスキミング防止機能を発揮することが確認された。アルミ蒸着膜は薄く形成すると微細な隙間が残りスキミング防止機能が損なわれる恐れがあるが、この実施形態では厚く形成し、かつ、境面加工することで隙間を無くしてその問題を解消している。
【図面の簡単な説明】
【図１】  スキミング防止カードの実施形態の切り欠き断面斜視図
【図２】  スキミング防止カードの実施形態の使用説明図
【図３】  スキミング防止カードの他の実施形態の切り欠き断面斜視図
【符号の説明】
１  スキミング防止カード
３  アルミ箔（電磁波遮断層）
８  鏡面
【図１】
0003128558.tif 000003
【図２】
0003128558.tif 000004
【図３】
0003128558.tif 000005